(57)【要約】【課題】高温湯をそのまま差し湯として浴槽にのみに供給する単独供給時に給湯との同時供給が生じたとしても、差し湯流量を正確に把握して浴槽への差し湯流量を一定に制御すること、さらに同時供給の過渡期にも差し湯流量及び差し湯温度の安定維持を図る。【解決手段】差し湯流量Ｑｂを缶体流量センサ３２の検出入水流量Ｑｋから一般給湯路５への分岐流量Ｑｈを差し引く演算で求めることとし、未知数の分岐流量を、給湯流量センサ５７の検出給湯流量Ｑｙ、リモコン１０１に設定された設定給湯温度Ｔｋｓ、缶体２から出湯させる高温湯の設定出湯温度Ｔｈｓ、入水温度センサ３３による給水温度Ｔｃに基づいて次式で求める。Ｑｂ＝Ｑｋ−Ｑｈ＝Ｑｋ−［｛（Ｔｋｓ−Ｔｃ）／（Ｔｈｓ−Ｔｃ）｝Ｑｙ］得られたＱｂに基づいて閉止機能付流量調整弁７１を開度制御する。【選択図】　　　図１
2004036960.tif 000002
【特許請求の範囲】
【請求項１】
低温流体の流入を受けて所定の高温度の高温流体を生成する高温流体生成部と、この高温流体生成部から流出する高温流体の流れが分岐されて高温流体を第１供給部に供給可能とする第１供給路及び第２供給部に供給可能とする第２供給路と、上記第１供給路の途中に上記低温流体を供給して上記高温流体と混合させることにより上記第１供給部への供給流体を所定温度に温調可能とするバイパス路と、上記第２供給路に介装されてその第２供給路の通路面積を可変とする通路面積可変機構とを備えた流体供給装置の供給制御方法であって、
上記第２供給路への高温流体の第２分岐流量を演算により把握し、把握された第２分岐流量に基づいて上記通路面積可変機構の変更制御を実行するようにし、
上記第２分岐流量の演算を、上記高温流体生成部に流入する低温流体の検出入水流量と上記第１供給路へ分岐する第１分岐流量との差により求めるようにし、未知数である上記第１分岐流量を、上記第１供給部へ供給される流体の検出温度と上記低温流体の検出温度との温度差を上記高温流体の検出温度と上記低温流体の検出温度との温度差で除して得られる温度換算係数に対し上記バイパス路との合流位置よりも下流側での上記第１供給部への検出供給流量を乗じることにより求めるようにする
ことを特徴とする流体供給装置の供給制御方法。
【請求項２】
低温流体の流入を受けて所定の高温度の高温流体を生成する高温流体生成部と、この高温流体生成部から流出する高温流体の流れが分岐されて高温流体を第１供給部に供給可能とする第１供給路及び第２供給部に供給可能とする第２供給路と、上記第１供給路の途中に上記低温流体を供給して上記高温流体と混合させることにより上記第１供給部への供給流体を所定温度に温調可能とするバイパス路と、上記第２供給路に介装されてその第２供給路の通路面積を可変とする通路面積可変機構とを備えた流体供給装置の供給制御方法であって、
上記第２供給路への高温流体の第２分岐流量を演算により把握し、把握された第２分岐流量に基づいて上記通路面積可変機構の変更制御を実行するようにし、
上記第２分岐流量の演算を、上記高温流体生成部に流入する低温流体の検出入水流量と上記第１供給路へ分岐する第１分岐流量との差により求めるようにし、未知数である上記第１分岐流量を、上記第１供給部へ供給すべき流体の設定温度と上記低温流体の検出温度との温度差を上記高温流体生成部で生成させる高温流体の設定温度と上記低温流体の検出温度との温度差で除して得られる温度換算係数に対し上記バイパス路との合流位置よりも下流側での上記第１供給部への検出供給流量を乗じることにより求めるようにする
ことを特徴とする流体供給装置の供給制御方法。
【請求項３】
低温流体の流入を受けて所定の高温度の高温流体を生成する高温流体生成部と、この高温流体生成部から流出する高温流体の流れが分岐されて高温流体を第１供給部に供給可能とする第１供給路及び第２供給部に供給可能とする第２供給路と、上記第１供給路の途中に上記低温流体を供給して上記高温流体と混合させることにより上記第１供給部への供給流体を所定温度に温調可能とするバイパス路と、上記低温流体の温度を検出する第１温度検出手段と、上記高温流体の温度を検出する第２温度検出手段と、上記バイパス路との合流位置よりも下流側で上記第１供給部への供給流体の温度を検出する第３温度検出手段と、上記高温流体生成部に流入する低温流体の入水流量を検出する第１流量検出手段と、上記バイパス路との合流位置よりも下流側で上記第１供給部への供給流量を検出する第２流量検出手段と、上記第２供給路に介装されてその第２供給路の通路面積を可変とする通路面積可変機構と、この通路面積可変機構による通路面積を変更制御する制御手段とを備えた流体供給装置であって、
上記制御手段による通路面積可変機構の変更制御を実行する上で基礎データとなる上記第２供給路への高温流体の第２分岐流量を演算により求める演算手段を備え、
この演算手段は、上記第２分岐流量を上記第１流量検出手段による第１検出流量と上記第１供給路へ分岐する第１分岐流量との差により求める構成とされ、未知数である上記第１分岐流量を、上記第３温度検出手段の検出温度と上記第１温度検出手段の検出温度との温度差を上記第２温度検出手段の検出温度と上記第１温度検出手段の検出温度との温度差で除して得られる温度換算係数に対し上記第２流量検出手段の第２検出流量を乗じることにより求めるように構成されていることを特徴とする流体供給装置。
【請求項４】
低温流体の流入を受けて所定の高温度の高温流体を生成する高温流体生成部と、この高温流体生成部から流出する高温流体の流れが分岐されて高温流体を第１供給部に供給可能とする第１供給路及び第２供給部に供給可能とする第２供給路と、上記第１供給路の途中に上記低温流体を供給して上記高温流体と混合させることにより上記第１供給部への供給流体を所定温度に温調可能とするバイパス路と、上記低温流体の温度を検出する第１温度検出手段と、上記高温流体の温度を検出する第２温度検出手段と、上記バイパス路との合流位置よりも下流側で上記第１供給部への供給流体の温度を検出する第３温度検出手段と、上記高温流体生成部に流入する低温流体の入水流量を検出する第１流量検出手段と、上記バイパス路との合流位置よりも下流側で上記第１供給部への供給流量を検出する第２流量検出手段と、上記第２供給路に介装されてその第２供給路の通路面積を可変とする通路面積可変機構と、この通路面積可変機構による通路面積を変更制御する制御手段とを備えた流体供給装置であって、
上記制御手段による通路面積可変機構の変更制御を実行する上で基礎データとなる上記第２供給路への高温流体の第２分岐流量を演算により求める演算手段を備え、
この演算手段は、上記第２分岐流量を上記第１流量検出手段の第１検出流量と上記第１供給路へ分岐する第１分岐流量との差により求める構成とされ、未知数である上記第１分岐流量を、上記第１供給部へ供給すべき流体の設定温度と上記第１温度検出手段の検出温度との温度差を上記高温流体生成部で生成させる高温流体の設定温度と上記第１温度検出手段の検出温度との温度差で除して得られる温度換算係数に対し上記第２流量検出手段の第２検出流量を乗じることにより求めるように構成されている
ことを特徴とする流体供給装置。
【発明の詳細な説明】
【０００１】
【発明の属する技術分野】
本発明は、燃焼熱により熱交換加熱される熱交換器、太陽熱により集熱加熱されるソーラーパネル、あるいは、コジェネレーションシステムでの高温受熱により熱交換加熱される熱交換器等の高温流体生成部において流入した低温流体を高温に昇温させた後、生成された高温流体に低温流体を混合して温調した流体を供給する第１供給路と、高温流体のままで供給する第２供給路との２方向に分岐されるように構成されている流体供給装置に関する。特に、高温流体が流される上記第２供給路の供給流量の制御に係る。
【０００２】
【従来の技術】
従来より、この種の流体供給装置として、例えば図１に示すような高温差し湯式風呂給湯器が知られている。このものでは、缶体２内において燃焼バーナ２３の燃焼熱により熱交換加熱される熱交換器２４により給水路３からの給水を所定の高温度（例えば９０℃）まで昇温させ、生成された高温湯を一般給湯路（第１供給路）５と、風呂給湯路（第２供給路）７との２方向に分岐させて供給可能となっている。
【０００３】
上記一般給湯路５は一般給湯栓５１に給湯するためのものであり、その途中には給水路３からの給水をバイパス弁８１により混合比可変に混合させるバイパス路８が接続されており、上記バイパス弁８１の開度制御による混合比制御により一般給湯栓５１への給湯温度を所定の設定給湯温度（例えば４０℃）に温調するようにされている。また、上記風呂給湯路７は浴槽に高温湯の差し湯（高温差し湯）をすることにより、湯張り後の浴槽６内の湯水を昇温させて追い焚きと同等の役割を果たさせるようになっている。
【０００４】
なお、同図中の符号９は注湯路であり、この注湯路９は、上記バイパス路８との合流位置５２よりも下流側の所定位置の一般給湯路５から分岐して温調後の湯水を上記風呂給湯路７に注湯させることにより浴槽６内への湯張りを行うようになっている。この湯張りは途中に介装された湯張り弁９１の開閉制御により行われる。
【０００５】
以上の構成の流体供給装置では、上記風呂給湯路７に対し閉止機能付の流量調整弁７１が介装されており、この流量調整弁７１の開度がコントローラ１０ｂにより制御されて浴槽６に対する差し湯流量が一定に維持されるようになっている。また、缶体流量センサ３２、入水温度センサ３３、缶体温度センサ４１、給湯温度センサ５６、給湯流量センサ５７等からの検出出力を受けたコントローラ１０ｂによって、バイパス弁８１の開度調整（バイパス比率の調整）や、過流出防止弁５５による給湯流量の調整が行われて給湯温度を所定の設定給湯温度にする給湯制御も行われるようになっている。
【０００６】
【発明が解決しようとする課題】
ところが、上記のものでは、風呂給湯路７を通して浴槽６に差し湯している間に一般給湯栓５１がユーザにより開かれて一般給湯路５にも高温湯が流れる同時供給状態に移行したとき、特にその移行の過渡期において制御対象である上記流量調整弁７１等にハンチングやオーバーシュートが生じ、上記差し湯流量や差し湯温度の変動を招くおそれがある。
【０００７】
すなわち、上記風呂給湯路７にはかなりの高温（例えば９０℃）の高温湯が流されるため、耐熱上の観点から上記風呂給湯路７に流量センサを設置することは実用上困難となる。このため、上記流量調整弁７１を制御する上で必要となる風呂給湯路７への分岐流量が把握できず、その上に、給水路３の全体給水流量から給湯流量センサ５７による検出給湯流量を差し引いて上記分岐流量を把握しようとしても、缶体流量センサ３２が熱交換器２４に流入する給水流量をのみ検出するものであるためバイパス路８及び熱交換器２４の双方への全体給水流量を検出し得ないことになる。
【０００８】
この対策として、上記缶体流量センサ３２による検出流量と、上記バイパス弁８１によるバイパス比率とに基づいて全体給水流量を把握することも考えられるが、上記の過渡期においてはそれまで閉状態（開度ゼロ）であったバイパス弁８１が急激に開かれてバイパス比率が急変動するため正確な把握は行い得ず、この結果、差し湯流量の変動を招くことになる。
【０００９】
また、給湯制御において、缶体温度センサ４１、給湯温度センサ５６や入水温度センサ３３等の各検出温度に基づいて設定給湯温度になるようにバイパス比率を把握しようとすると、上記過渡期においては、それまで差し湯流量のみの給水状態から一般給湯路への分岐流量が加わるため、給水路３からの給水流量が急増大してしまい、熱交換器２４への給水流量の急変動や各通路内の圧力の急変動により上記差し湯温度の変動をも招くことになる。つまり、過渡期においては、上記の種々の急変動に起因してバイパス弁８１及び過流出防止弁５５等の給湯側の制御と、流量調整弁７１の差し湯側の制御とが互いに干渉する結果、ハンチング等を生じ上記差し湯流量や差し湯温度の変動を招くことになる。
【００１０】
本発明は、このような事情に鑑みてなされたものであり、その目的とするところは、高温流体生成部で生成された高温流体をそのまま第２供給路にのみに供給する単独供給状態から第１及び第２の両供給路に同時供給状態に切換えられたとしても、上記第２供給路への分岐流量を正確に把握して第２供給路への一定流量制御を可能とすること、及び、さらに上記切換の過渡期においても第２供給路への供給流量及び供給温度の安定維持を図ることにある。
【００１１】
【課題を解決するための手段】
上記目的を達成するために、請求項１に係る発明では、低温流体の流入を受けて所定の高温度の高温流体を生成する高温流体生成部と、この高温流体生成部から流出する高温流体の流れが分岐されて高温流体を第１供給部に供給可能とする第１供給路及び第２供給部に供給可能とする第２供給路と、上記第１供給路の途中に上記低温流体を供給して上記高温流体と混合させることにより上記第１供給部への供給流体を所定温度に温調可能とするバイパス路と、上記第２供給路に介装されてその第２供給路の通路面積を可変とする通路面積可変機構とを備えた流体供給装置の供給制御方法を対象として、次の特定事項を備えることとした。
【００１２】
すなわち、上記第２供給路への高温流体の第２分岐流量を演算により把握し、把握された第２分岐流量に基づいて上記通路面積可変機構の変更制御を実行することとする。そして、上記第２分岐流量の演算を、上記高温流体生成部に流入する低温流体の検出入水流量と上記第１供給路へ分岐する第１分岐流量との差により求めるようにし、未知数である上記第１分岐流量を、上記第１供給部へ供給される流体の検出温度と上記低温流体の検出温度との温度差を上記高温流体の検出温度と上記低温流体の検出温度との温度差で除して得られる温度換算係数に対し上記バイパス路との合流位置よりも下流側での上記第１供給部への検出供給流量を乗じることにより求めるようにする。
【００１３】
この請求項１では、高温流体であるがゆえに流量センサを第２供給路に設置できず、このため、検出し得なかった第２分岐流量を演算により正確に把握することが可能となる。すなわち、第２供給路を通して第２供給部に供給される高温流体の流量を、第２供給部のみの単独供給時においても、あるいは、第１供給部及び第２供給部への同時供給時においても、いずれの場合にも演算により的確に把握することが可能となる。このため、得られた第２分岐流量に基づいて通路面積可変機構を的確に作動制御し得るようになり、これにより、第２供給部への単独供給状態で上記第１供給部及び第２供給部への同時供給が生じたとしても、第２供給部への供給流量をほぼ一定に維持する制御をより確実に行うことが可能となる。
【００１４】
また、請求項２に係る発明では、請求項１が対象とするものと同じ構成を備えた流体供給装置の供給制御方法を対象として、次の特定事項を備えるものとした。すなわち、上記第２供給路への高温流体の第２分岐流量を演算により把握し、把握された第２分岐流量に基づいて上記通路面積可変機構の変更制御を実行することとする。そして、上記第２分岐流量の演算を、上記高温流体生成部に流入する低温流体の検出入水流量と上記第１供給路へ分岐する第１分岐流量との差により求めるようにし、未知数である上記第１分岐流量を、上記第１供給部へ供給すべき流体の設定温度と上記低温流体の検出温度との温度差を上記高温流体生成部で生成させる高温流体の設定温度と上記低温流体の検出温度との温度差で除して得られる温度換算係数に対し上記バイパス路との合流位置よりも下流側での上記第１供給部への検出供給流量を乗じることにより求めるようにする。
【００１５】
この請求項２では、第２供給部のみの単独供給状態から第１供給部及び第２供給部への同時供給状態に移行した過渡期においても、第２供給路の通路面積可変機構の制御を安定的に行うことが可能となり、第２供給部への供給流量や供給温度の安定維持を図ることが可能となる。すなわち、温度換算係数の演算として、請求項１では現実に検出される検出温度を用いている２つの項目を請求項２では第１供給部への設定温度及び高温流体の設定温度という目標とすべき設定温度を用いているため、上記過渡期における一時的・瞬間的な検出温度の急変動の影響を受けずに、たとえ過渡期であってもより安定した第２供給路への分岐流量の把握が可能となる。このため、把握された第２分岐流量に基づいて通路面積可変機構の制御を行うことにより、過渡期であっても、ほぼ一定の第２分岐流量でかつほぼ一定の供給温度の高温流体を第２供給部に対し供給し得ることになる。
【００１６】
請求項３に係る発明では、低温流体の流入を受けて所定の高温度の高温流体を生成する高温流体生成部と、この高温流体生成部から流出する高温流体の流れが分岐されて高温流体を第１供給部に供給可能とする第１供給路及び第２供給部に供給可能とする第２供給路と、上記第１供給路の途中に上記低温流体を供給して上記高温流体と混合させることにより上記第１供給部への供給流体を所定温度に温調可能とするバイパス路と、上記低温流体の温度を検出する第１温度検出手段と、上記高温流体の温度を検出する第２温度検出手段と、上記バイパス路との合流位置よりも下流側で上記第１供給部への供給流体の温度を検出する第３温度検出手段と、上記高温流体生成部に流入する低温流体の入水流量を検出する第１流量検出手段と、上記バイパス路との合流位置よりも下流側で上記第１供給部への供給流量を検出する第２流量検出手段と、上記第２供給路に介装されてその第２供給路の通路面積を可変とする通路面積可変機構と、この通路面積可変機構による通路面積を変更制御する制御手段とを備えた流体供給装置を対象として次の特定事項を備えるようにした。
【００１７】
すなわち、上記制御手段による通路面積可変機構の変更制御を実行する上で基礎データとなる上記第２供給路への高温流体の第２分岐流量を演算により求める演算手段を備えることとする。そして、この演算手段として、上記第２分岐流量を上記第１流量検出手段による第１検出流量と上記第１供給路へ分岐する第１分岐流量との差により求める構成とされ、未知数である上記第１分岐流量を、上記第３温度検出手段の検出温度と上記第１温度検出手段の検出温度との温度差を上記第２温度検出手段の検出温度と上記第１温度検出手段の検出温度との温度差で除して得られる温度換算係数に対し上記第２流量検出手段の第２検出流量を乗じることにより求める構成とした。
【００１８】
この請求項３の場合、上記請求項１の供給制御方法を確実に実施することが可能となり、請求項１による作用を確実に得ることができる。
【００１９】
請求項４に係る発明では、請求項３が対象とするものと同様の流体供給装置　を対象として次の特定事項を備えるようにした。すなわち、上記制御手段による通路面積可変機構の変更制御を実行する上で基礎データとなる上記第２供給路への高温流体の第２分岐流量を演算により求める演算手段を備えることとした。そして、この演算手段として、上記第２分岐流量を上記第１流量検出手段の第１検出流量と上記第１供給路へ分岐する第１分岐流量との差により求める構成とされ、未知数である上記第１分岐流量を、上記第１供給部へ供給すべき流体の設定温度と上記第１温度検出手段の検出温度との温度差を上記高温流体生成部で生成させる高温流体の設定温度と上記第１温度検出手段の検出温度との温度差で除して得られる温度換算係数に対し上記第２流量検出手段の第２検出流量を乗じることにより求める構成とした。
【００２０】
この請求項４の場合、上記請求項２の供給制御方法を確実に実施することが可能となり、請求項２による作用を確実に得ることができる。
【００２１】
【発明の効果】
以上、説明したように、請求項１の流体供給装置の供給制御方法によれば、従来では検出し得なかった、第２供給路を通して第２供給部に供給される高温流体の流量を、第２供給部のみの単独供給時においても、あるいは、第１供給部及び第２供給部への同時供給時においても、いずれの場合にも演算により的確に把握することができる。このため、得られた第２分岐流量に基づいて通路面積可変機構を的確に作動制御することができることとなり、これにより、第２供給部への単独供給状態で上記第１供給部及び第２供給部への同時供給が生じたとしても、第２供給部への供給流量をほぼ一定に維持する制御をより確実に行うことができるようになる。
【００２２】
また、請求項２の流体供給装置の供給制御方法によれば、第２供給部のみの単独供給状態から第１供給部及び第２供給部への同時供給状態に移行した過渡期においても、検出温度の急変動の影響を受けずに第２供給路への分岐流量のより安定した把握を行うことができるようになる。このため、第２供給路の通路面積可変機構の制御状態を安定させることができ、たとえ過渡期であっても、第２供給部へほぼ一定の供給流量でほぼ一定温度の高温流体を第２供給部に対し安定した供給を継続させることができるようになる。
【００２３】
請求項３の流体供給装置によれば、請求項１の供給制御方法を確実に実施することができ、その請求項１による効果を確実に得ることができる。
【００２４】
また、請求項４の流体供給装置によれば、請求項２の供給制御方法を確実に実施することができ、その請求項２による効果を確実に得ることができる。
【発明の実施の形態】
以下、本発明の実施形態を図面に基づいて説明する。
【００２５】
＜第１実施形態＞
図１は、本発明の供給制御方法を実施するための流体制御装置として高温差し湯式風呂給湯器を示したものである。なお、コントローラ１０による制御を除き、他の構成自体は従来の技術欄で説明した構成と同様である。同図において、２は高温流体生成部としての缶体であり、この缶体２は送風ファン２１からの燃焼用空気及び燃料供給系２２からのガスの供給を受けて燃焼する燃焼バーナ２３と、この燃焼バーナ２３の燃焼熱により熱交換加熱される熱交換器２４とが内蔵されている。
【００２６】
そして、上記熱交換器２４の入口には、水道管に接続されて低温流体としての水を給水する給水路３が接続され、熱交換器２４の出口に接続された高温出湯路４が第１供給部としての一般給湯栓５１に給湯するための第１供給路としての一般給湯路５と、第２供給部としての浴槽６に差し湯するための第２供給路としての風呂給湯路７とに分岐されている。また、上記給水路３と一般給湯路５との間には、上記熱交換器２４をバイパスするバイパス路８がそれぞれ接続されている。さらに、上記一般給湯路５と風呂給湯路７との間には、上記バイパス路８の合流位置よりも下流側位置の一般給湯路５から分岐し風呂給湯路７を通して上記浴槽６に対し湯張りするための注湯路９が配設されている。
【００２７】
上記給水路３には、バイパス路８の分岐位置３１よりも下流側（缶体２側）において上記缶体２に入水（給水）される水の入水流量を検出する第１流量検出手段としての缶体流量センサ３２と、その入水温度を検出する第１温度検出手段としての入水温度センサ３３とがそれぞれ介装されている。そして、缶体２で昇温された高温流体としての高温湯の出湯温度を検出する第２温度検出手段としての缶体温度センサ４１が高温出湯路４に介装されている。
【００２８】
上記一般給湯路５には、バイパス路８の合流位置５２の上流側位置に逆止弁５３と、上記合流位置５２の下流側であって上記注湯路９の分岐位置５４よりも上流側に過流出防止弁５５及び一般給湯栓５１及び注湯路９に供給される給湯温度を検出する第３温度検出手段としての給湯温度センサ５６と、上記分岐位置５４よりも下流側位置で一般給湯栓５１への給湯流量を検出する第２流量検出手段としての給湯流量センサ５７とがそれぞれ介装されている。
【００２９】
上記風呂給湯路７には、高温湯を差し湯として浴槽６に供給するか停止するかの開閉機能（閉止機能）と、その開度調整による差し湯流量の調整機能（流量調整機能）との両機能を備えた通路面積可変機構としての差し湯弁７１と、負圧を破壊して逆流防止するためのバキュームブレーカ７２とがそれぞれ介装されている。また、上記バイパス路８には缶体２からの高温湯に給水路３からの水を開度調整により混合比可変に混合して一般給湯栓５１への給湯温度を温調するためのバイパス弁８１が介装されている。さらに、上記注湯路９にはその開閉により湯張りを行うか否かに切換える電磁式の湯張り弁９１が介装されている
なお、上記浴槽６には、撹拌アダプタ６１が設置されており上記風呂給湯路７の下流端が上記撹拌アダプタ６１に接続されている。そして、上記撹拌アダプタ６１は、浴槽５１内湯水を取り込んで高温湯の差し湯と混合・撹拌した後に浴槽５１内に吐出させるようになっている。この際、取り込まれた上記浴槽５１内の湯水の温度が浴槽温度センサ６２により検出されて、後述の風呂リモコン１０２を介してコントローラ１０に出力されるようになっている。
【００３０】
以上の構成において、一般給湯栓５１への所定の設定給湯温度での給湯制御と、浴槽６に対する湯張り制御と、湯張り後の浴槽５１内の湯水に対し高温湯を差し湯して追い焚きと同等機能を果たさせる差し湯制御とが、一般給湯栓５１用のリモコン１０１及び浴槽６用の風呂リモコン１０２を付随させたコントローラ１０により実行される。
【００３１】
上記コントローラ１０は、図２に示すように上記給湯制御を行う給湯制御部１０３と、上記湯張り制御を行う湯張り制御部１０４と、上記差し湯制御を行う制御手段及び演算手段を含む差し湯制御部１０５とを備えている。
【００３２】
上記給湯制御部１０３は、例えば差し湯制御が行われていない状態で一般給湯栓５１がユーザにより開かれて缶体流量センサ３３が所定の最低作動流量を検出すると、燃焼バーナ２３及び燃料供給系２２からなる燃焼系２５を燃焼作動させて所定温度の湯を一般給湯路５に供給する一方、入水温度センサ３３による検出入水温度、缶体温度センサ４１による検出出湯温度、給湯温度センサ５７による検出給湯温度やリモコン１０１に入力設定された設定給湯温度に基づいてバイパス弁８１を開き所定の開度（混合比）に変更制御するようになっている。この混水制御の際に、一般給湯栓５１が最大側に開かれて大流量の給水状態に陥ることにより、燃焼系２５での最大能力で加熱したとしても熱交換器２４において所定温度まで昇温させ得ない場合には、過流出防止弁５５の開度を所定量絞って所定温度までの昇温を確保するようになっている。以上により、一般給湯栓５１への給湯温度が上記設定給湯温度になるようにされる。
【００３３】
上記湯張り制御部１０４は、例えば風呂リモコン１０２の湯張りスイッチ又は風呂自動スイッチがユーザによりＯＮ操作されると、湯張り弁９１を開き、上記給湯制御部１０３の給湯制御と同様に燃焼系２５の燃焼作動と、バイパス弁８１及び過流出防止弁５５の開度制御とを行い、上記風呂リモコン１０２に設入力定された設定風呂温度の湯を浴槽６に対し注湯するようになっている。
【００３４】
上記差し湯制御部１０５は、例えば風呂リモコン１０２の差し湯スイッチ（熱くするためのスイッチ）のＯＮ操作により、又は、上記の風呂自動スイッチがＯＮ操作されている場合には浴槽温度センサ６２の検出温度が設定風呂温度よりも低下すれば保温のために自動的に差し湯制御が実行されるようになっている。そして、上記流量調整弁７１を所定の一定開度（例えば４．０Ｌ／分の差し湯流量に相当する開度）に開くと共に燃焼系２５を燃焼作動させることにより、所定の高温度（例えば９０℃）の高温湯が風呂給湯路７を通して上記撹拌アダプタ６１に供給され浴槽５１に対し差し湯される。
【００３５】
この差し湯の実行中に給湯流量センサ５７が所定以上の流量を検出すると、一般給湯栓５１がユーザにより開かれて割り込みの給湯使用が発生（同時供給状態が発生）したと判断して、上記給湯制御部１０３による給湯制御と、差し湯制御部１０５による差し湯制御とが平行して同時に実行されることになる。
【００３６】
これらの差し湯制御は、単独・同時のいずれの供給状態においても、第２分岐流量としての差し湯流量を演算により求め、求められた差し湯流量に基づいて上記流量調整弁７１の開度制御が行われる。
【００３７】
上記の差し湯流量Ｑｂの演算は次の（１）式により求める。
【００３８】
Ｑｂ＝Ｑｋ−Ｑｈ＝Ｑｋ−［｛（Ｔｋ−Ｔｃ）／（Ｔｈ−Ｔｃ）｝Ｑｙ］…（１）
ここで、Ｑｋは缶体流量センサ３２による検出入水流量、Ｑｈは未知数である一般給湯路５への分岐流量（第１分岐流量）、Ｑｙは給湯流量センサ５７による検出給湯流量、Ｔｋは給湯温度センサ５６による検出給湯温度、Ｔｈは缶体温度センサ４１による高温湯の検出出湯温度、Ｔｃは入水温度センサ３３による給水温度である。
【００３９】
上記の（１）式は、未知数であるＱｈを次の関係式（２）、（３）に基づいて求めることにより導かれる。
【００４０】
Ｑｈ・Ｔｈ＋Ｑｃ・Ｔｃ＝Ｑｙ・Ｔｋ　…（２）
Ｑｈ＋Ｑｃ＝Ｑｙ　　　　　　　　　…（３）
この式（３）をＱｃについて整理し、これを式（２）に代入してＱｈについて整理すると、一般給湯路７への分岐流量Ｑｈが式（４）として得られる。
【００４１】
Ｑｈ＝｛（Ｔｋ−Ｔｃ）／（Ｔｈ−Ｔｃ）｝Ｑｙ　…（４）
上記式（１）によれば、差し湯が単独で実行されるときには、検出給湯流量Ｑｙがゼロとなるため、Ｑｂ＝Ｑｋとして差し湯流量が把握される一方、差し湯と給湯が同時に実行されるときには、各検出値Ｑｋ，Ｔｋ，Ｔｃ，Ｔｈ，Ｔｃ，Ｑｙに基づいて差し湯流量Ｑｂが正確に把握し、そのＱｂが一定流量になるように流量調整弁７１を制御すればよい。
【００４２】
＜第２実施形態＞
本発明の第２実施形態は、その差し湯制御部１０５ａにおいて第１実施形態の差し湯制御部１０５における差し湯流量Ｑｂの演算式（１）とは異なる演算式を用いる点を除き、他の構成は全て第１実施形態と同じである。
【００４３】
上記差し湯制御部１０５ａでは、次の式（５）を用いて差し湯流量Ｑｂの把握を行うようになっている。
【００４４】
Ｑｂ＝Ｑｋ−Ｑｈ＝Ｑｋ−［｛（Ｔｋｓ−Ｔｃ）／（Ｔｈｓ−Ｔｃ）｝Ｑｙ］…（５）
ここで、Ｔｋｓはリモコン１０１に設定された設定給湯温度、Ｔｈｓは燃焼系２５により缶体２から出湯させる高温湯の設定出湯温度である。つまり、上記式（５）は、式（１）のＴｋをＴｋｓにし、同様にＴｈをＴｈｓにしたものである。
【００４５】
この第２実施形態の場合には、検出温度である検出給湯温度Ｔｋや、検出出湯温度Ｔｈが差し湯の単独供給状態において給湯との同時供給状態が発生することにより急変動したとしても、第１実施形態の式（１）の場合と異なり共に設定温度を用いて差し湯流量Ｑｂの把握を行うようにしているため、ハンチング等の不都合発生を回避して流量調整弁７１の開度制御を安定させることができる。これにより、上記同時供給手段が発生して定常状態になるまでの過渡期においても差し湯温度を一定温度（９０℃）の安定した状態に維持させることができる。
【００４６】
＜他の実施形態＞
なお、本発明は上記第１及び第２実施形態に限定されるものではなく、その他種々の実施形態を包含するものである。すなわち、上記第１及び第２実施形態では、流体供給装置として高温差し湯式風呂給湯器を示したが、これに限らず、例えば高温流体生成部としてソーラーパネルを備えたソーラー給湯ユニットや、高温流体生成部としてコジェネレーションシステムの高温部との熱交換器を備えた外部熱源利用給湯ユニット等に本発明の供給制御方法を適用してもよい。
【００４７】
上記第１及び第２実施形態では、演算式として式（１）又は式（５）を示したが、これに限らず、これらと等価な変形式を用いるようにしてももちろんよい。
【図面の簡単な説明】
【図１】本発明の第１及び第２実施形態を示す模式図である。
【図２】第１及び第２実施形態のコントローラの構成を示すブロック図である。
【符号の説明】
２　　　　缶体（高温流体生成部）
５　　　　一般給湯路（第１供給路）
６　　　　浴槽（第２供給部）
７　　　　風呂給湯路（第２供給路）
８　　　　バイパス路
３２　　　缶体流量センサ（第１流量検出手段）
３３　　　入水温度センサ（第１温度検出手段）
４１　　　缶体温度センサ（第２温度検出手段）
５１　　　一般給湯栓（第１供給部）
５６　　　給湯温度センサ（第３温度検出手段）
５７　　　給湯流量センサ（第２流量検出手段）
７１　　　閉止機能付流量調整弁（通路面積可変機構）
１０５，１０５ａ　　差し湯制御部（制御手段、演算手段）
【図１】
2004036960.tif 000003
【図２】
2004036960.tif 000004